(57)【要約】  受信品質情報を送信するために割り当てた複数のＰＵＣＣＨサブフレームに対して、上りリンクに対するデータ送信を許可するＬ１／Ｌ２グラントを受信した場合、移動局装置は、複数のＰＵＣＣＨサブフレームで送信しようとしていた受信品質情報総てを、対応するＰＵＳＣＨ１サブフレームを使用して送信する。これにより、移動局装置が受信品質情報を送信するために割り当てられた複数のＰＵＣＣＨサブフレームに対して、基地局装置がＬ１／Ｌ２グラントを送信した場合、基地局装置、移動局装置間で行われる受信品質情報の送受信の処理を軽減するとともに、移動局装置が受信品質情報を送信する際の遅延を削減することによって、現在の伝搬路の状況に追従した適切な通信制御を行うことができる移動局装置等を提供することとなる。
2009096453.tif 000002
【特許請求の範囲】
【請求項１】
受信品質情報に基づいて基地局装置からリソースを割り当てられる移動局装置であって、
上りリンクデータ送信許可信号を受信する上りリンクデータ送信許可信号受信手段と、
前記上りリンクデータ送信許可信号を受信した場合に、上りリンクデータをデータチャネルにて送信する上りリンクデータ送信手段と、
前記基地局装置からのスケジューリングにしたがって、前記受信品質情報を、制御チャネルにて送信する受信品質送信手段と、
を備え、
前記受信品質送信手段は、前記上りリンク送信許可信号を受信したときは、送信すべき受信品質情報総てを、対応する上りリンクデータチャネル１サブフレームで基地局装置に送信することを特徴する移動局装置。
【請求項２】
前記基地局装置から送信可能サブフレーム数を含んだＲＲＣシグナリングを受信するサブフレーム数受信手段を更に備え、
前記受信品質送信手段は、前記上りリンクデータ送信許可信号を受信してから、前記送信可能サブフレーム数以内に、受信品質情報を送信する割当がなされている場合には、送信すべき受信品質情報総てを、対応する上りリンクデータチャネル１サブフレームで基地局装置に送信することを特徴とする請求項１に記載の移動局装置。
【請求項３】
受信品質情報に基づいて移動局装置にリソースを割り当てる基地局装置であって、
移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、
データチャネルにて上りリンクデータを受信する上りリンクデータ受信手段と、
を備え、
前記上りリンクデータ受信手段は、データチャネルから、上りリンクデータと併せて受信品質情報を受信する手段であることを特徴とする基地局装置。
【請求項４】
移動局装置に、送信可能サブフレーム数をＲＲＣシグナリングに含めて送信することを特徴とする請求項３に記載の基地局装置。
【請求項５】
基地局装置と、受信品質情報に基づいて基地局装置からリソースを割り当てられる移動局装置とが接続された移動通信システムにおいて、
前記基地局装置は、
移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、
データチャネルにて上りリンクデータを受信する上りリンクデータ受信手段と、
を備え、
前記移動局装置は、
基地局装置から、上りリンクデータ送信許可信号を受信する上りリンクデータ送信許可信号受信手段と、
前記上りリンクデータ送信許可信号を受信した場合に、上りリンクデータをデータチャネルにて送信する上りリンクデータ送信手段と、
前記基地局装置からのスケジューリングにしたがって、前記受信品質情報を、制御チャネルにて送信する受信品質送信手段と、
を備えており、
前記移動局装置は、前記上りリンク送信許可信号を受信したときは、送信すべき受信品質情報総てを、対応する上りリンクデータチャネル１サブフレームで基地局装置に送信し、
前記基地局装置は、データチャネルから、上りリンクデータと併せて受信品質情報を受信することを特徴とする移動通信システム。
【発明の詳細な説明】
【技術分野】
【０００１】
本発明は、受信品質情報に基づいて基地局装置からリソースを割り当てられる移動局装置等に関する。
【背景技術】
【０００２】
近時、移動通信システムの分野においては、データ通信の需要が高まっている。そして、データ通信の需要に伴う通信データの増加に対応した、高い周波数利用効率が得られる様々な技術が提案されている。周波数利用効率を高める技術の１つに、ＯＦＤＭＡ（Orthogonal Frequency Division Multiple Access：直交周波数分割多元接続）がある。このＯＦＤＭＡは、セルで構成される通信エリアにおいて、総てのセルで同じ周波数を用いて通信する際の変調方式の技術に関するものであり、高速なデータ通信を実現することができる。【０００３】
ＯＦＤＭＡシステムにおける送信パケットのスケジューリングでは、広帯域のサブキャリアにおける下り回線状態の受信品質を示す情報であるＣＱＩ（Channel Quality Indicator）を移動局装置が基地局装置に送信し、基地局装置は、各移動局装置から送信された広帯域のサブキャリアのＣＱＩに基づいて、パケットのスケジューリングを行なうという方法が知られている。【０００４】
また、複数のサブキャリアを用いるＯＦＤＭ（Orthogonal Frequency Division Multiplexing：直交波周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は、送信された情報に基づいて各移動局装置に割り振るサブキャリアを決定するという技術も知られている。【０００５】
図８は、従来の基地局装置と移動局装置との通信方法について説明するための図である。基地局装置から受信品質測定に用いる下り回線の下りリンク情報を受信した移動局装置は、その下りリンク情報に基づいて各チャネルの受信品質を測定し、伝搬路のチャネルプロファイルを作成する。【０００６】
移動局装置が作成したチャネルプロファイルは、上り回線を用いて、受信品質情報として移動局装置から基地局装置に送信される。基地局装置は、その受信品質情報に基づいて、基地局装置から移動局装置に対して送信する信号に対して適応変調符号化や周波数選択スケジューリングの処理を行なう。【０００７】
この移動局装置による基地局装置への受信品質情報の送信に関して、国際的な標準化プロジェクトである３ＧＰＰ（3rd Generation Partnership Project）で検討されている第３世代無線アクセスの進化（Evolved Universal Terrestrial Radio Access）では、上りリンクにおける情報の通信方式として、ＤＦＴ（Discrete Fourier Transform）−ｓｐｒｅａｄ−ＯＦＤＭ方式によるシングルキャリア通信方式が提案され、専用の上りリンク制御チャネルＰＵＣＣＨ（Physical Uplink Control Channel）、もしくは、上りリンクデータチャネルＰＵＳＣＨ（Physical Uplink Shared Channel）を用いて、移動局装置から基地局装置に送信することが検討されている。【０００８】
ＰＵＣＣＨ、ＰＵＳＣＨを使用して基地局装置、移動局装置間で受信品質情報を送受信する際の手順について説明する。【０００９】
基地局装置は、まず受信品質情報を送信するための長期的なＰＵＣＣＨのリソースを移動局装置に対して割り当てる。移動局装置は割り当てられたＰＵＣＣＨのリソースを使用して定期的に受信品質情報を送信するが、この際に、基地局装置から上りリンクに対するデータ送信の許可を示す上りリンクデータ送信許可信号（以下、「Ｌ１/Ｌ２グラント」と呼ぶ）が送信された場合には、受信品質情報を、事前に割り当てられていたＰＵＣＣＨのリソースではなく、Ｌ１/Ｌ２グラントによって割り当てられたＰＵＳＣＨのリソースを使用して上りリンクデータとともに（もしくは、受信品質情報のみを）送信する。【００１０】
移動局装置は、基地局装置からの下りリンク制御チャネルＰＤＣＣＨ（Physical Downlink Control Channelによって指示されたリソース割当てに応じて、上りリンクデータを送信する。すなわち、この下りリンク制御チャネルＰＤＣＣＨが、上りリンクに対するデータ送信を許可する信号Ｌ１/Ｌ２グラントである。【００１１】
一般的に、基地局装置がＰＵＣＣＨとして割り当てられるリソース領域は、ＰＵＳＣＨとして割り当てられるリソース領域よりも小さいために、送信できる情報量のサイズは小さくなる。すなわち、移動局装置がＰＵＣＣＨを使用して送信する受信品質情報は、小さな情報量を持った受信品質情報であり、ＰＵＳＣＨを使用して送信する受信品質情報は、大きな情報量を持った受信品質情報となる。【００１２】
基地局装置は、移動局装置から送信される受信品質情報に基づいて、移動局装置に送信する信号に適応変調符号化や周波数選択スケジューリング等の処理を施す。例えば、移動局装置が、小さな情報量を持った受信品質情報を送信した場合には、基地局装置は、その情報量に応じて、高精度な適応変調符号化や周波数選択スケジューリング等の処理を施さない又は適応変調符号化の処理のみを施して移動局装置に信号を送信することになる。【００１３】
また、移動局装置が、大きな情報量を持った受信品質情報を送信した場合には、基地局装置は、その情報に基づいて、高精度な適応変調符号化や周波数選択スケジューリング等の処理を施して移動局装置に信号を送信する。【００１４】
このように、基地局装置は、移動局装置から大きな情報量を持った受信品質情報が送信された場合には、高精度な適応変調符号化や周波数選択スケジューリング等の処理を送信する信号に施すことができ、その結果、基地局装置、移動局装置間の通信制御（スケジューリング）をより効率的に行うことができる。【００１５】
この点に関して、移動局装置からＰＵＣＣＨを使用して大きな情報量を持った受信品質情報を送信するために、例えば、下記非特許文献１では、複数のＰＵＣＣＨサブフレームを使用して大きな受信品質情報を送信する提案がされている。例えば、３つのＰＵＣＣＨサブフレームを使用して１０ビットずつの情報を送信し、３０ビットの受信品質情報を送信しようという提案である。
【非特許文献１】”CQI on PUCCH using multiple subframes”、3GPP、TSG RAN WG1 Meeting #49bis、R1-072797、２００７年６月
【発明の開示】
【発明が解決しようとする課題】
【００１６】
しかしながら、従来の技術では、移動局装置が大きな受信品質情報を送信するために使用する複数のＰＵＣＣＨサブフレームに対して、基地局装置がＬ１/Ｌ２グラントを送信した場合、対応したＰＵＣＣＨサブフレームの受信品質情報のみをＰＵＳＣＨで送信するために、基地局装置、移動局装置間で受信品質情報を送受信する際の処理が複雑になるという問題があった。【００１７】
例えば、３０ビットの受信品質情報を３つのＰＵＣＣＨサブフレームを使用して送信しようとする（例えば、各ＰＵＣＣＨサブフレームで１０ビットずつの受信品質情報を送信する）際に、基地局装置が最初のＰＵＣＣＨサブフレームに対応したタイミングでＬ１/Ｌ２グラントを送信した場合、移動局装置は最初のサブフレームではＰＵＳＣＨを使用して１０ビットの受信品質情報を使用して送信し、残りの２つのサブフレームではＰＵＣＣＨを使用して２０ビット（各サブフレームで１０ビットずつ）の受信品質情報を送信する必要があった。【００１８】
すなわち、移動局装置においては３０ビットの受信品質情報を異なるチャネルで送信（ＰＵＳＣＨで１０ビット、ＰＵＣＣＨで２０ビット）し、基地局装置においては異なるチャネル（ＰＵＳＣＨ、ＰＵＣＣＨ）で送信された受信品質情報をそれぞれデコードした後に、下りリンクで送信する情報に対して適応変調制御や周波数選択スケジューリングの処理を施さなければならなかった。【００１９】
また、大きな情報量を持った受信品質情報を複数のＰＵＣＣＨサブフレームを使用して送信する場合、移動局装置から基地局装置に受信品質情報が送信されるまでに遅延が発生してしまう。例えば、移動局装置が、ＰＵＣＣＨ１サブフレームで１０ビットの受信品質情報しか送信できないのであれば、３０ビットの情報量を持った受信品質情報を送信するためには３サブフレーム分の遅延が発生してしまう。【００２０】
移動局装置から受信品質情報を送信する際に遅延が生じると、現在の伝搬路の状況に追従した適切な通信制御を行うことが出来なくなるという問題が発生する。移動局装置は、基地局装置から下りリンクで送信される情報から受信品質情報を測定し、測定した受信品質情報を基地局装置に送信する。この際に大きな遅延が生じると、伝搬路の状況が大きく変化してしまい、基地局装置が移動局装置から送信された受信品質情報に基づいて行う適応変調符号化や周波数選択スケジューリングの処理は、現在の伝搬路の状況には適さない意味のないものになってしまう。【００２１】
移動局装置が測定した受信品質情報を小さい遅延で送信することによって、基地局装置は、現在の伝搬路の状況に適した適応変調符号化や周波数選択スケジューリングを施した下りリンクの情報を移動局装置に送信することができる。【００２２】
すなわち移動局装置から基地局装置への受信品質情報の送信において、移動局装置が受信品質情報を送信するために割り当てられた複数のＰＵＣＣＨサブフレームに対して、基地局装置がＬ１／Ｌ２グラントを送信した場合、基地局装置、移動局装置間で行われる受信品質情報を送受信する際の処理が複雑になるという問題があった。また、移動局装置から基地局装置に受信品質情報を送信する際に遅延が生じてしまい、基地局装置が現在の伝搬路の状況に追従した適切な通信制御を行えなくなるという問題があった。【００２３】
本発明は、このような事情に鑑みてなされたものであり、移動局装置が受信品質情報を送信するために割り当てられた複数のＰＵＣＣＨサブフレームに対して、基地局装置がＬ１/Ｌ２グラントを送信した場合、基地局装置、移動局装置間で行われる受信品質情報の送受信の処理を軽減するとともに、移動局装置が受信品質情報を送信する際の遅延を削減することによって、現在の伝搬路の状況に追従した適切な通信制御を行うことができる移動局装置、基地局装置及び移動通信システムを提供することを目的とする。
【課題を解決するための手段】
【００２４】
上記課題を解決するために、本発明の移動局装置は、受信品質情報に基づいて基地局装置からリソースを割り当てられる移動局装置であって、上りリンクデータ送信許可信号を受信する上りリンクデータ送信許可信号受信手段と、前記上りリンクデータ送信許可信号を受信した場合に、上りリンクデータをデータチャネルにて送信する上りリンクデータ送信手段と、前記基地局装置からのスケジューリングにしたがって、前記受信品質情報を、制御チャネルにて送信する受信品質送信手段と、を備え、前記受信品質送信手段は、前記上りリンク送信許可信号を受信したときは、送信すべき受信品質情報総てを、対応する上りリンクデータチャネル１サブフレームで基地局装置に送信することを特徴する。【００２５】
また、本発明の移動局装置は、前記基地局装置から送信可能サブフレーム数を含んだＲＲＣシグナリングを受信するサブフレーム数受信手段を更に備え、前記受信品質送信手段は、前記上りリンクデータ送信許可信号を受信してから、前記送信可能サブフレーム数以内に、受信品質情報を送信する割当がなされている場合には、送信すべき受信品質情報総てを、対応する上りリンクデータチャネル１サブフレームで基地局装置に送信することを特徴とする。【００２６】
本発明の基地局装置は、受信品質情報に基づいて移動局装置にリソースを割り当てる基地局装置であって、移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、データチャネルにて上りリンクデータを受信する上りリンクデータ受信手段と、を備え、前記上りリンクデータ受信手段は、データチャネルから、上りリンクデータと併せて受信品質情報を受信する手段であることを特徴とする。【００２７】
また、本発明の基地局装置は、移動局装置に、送信可能サブフレーム数をＲＲＣシグナリングに含めて送信することを特徴とする。【００２８】
本発明の移動通信システムは、基地局装置と、受信品質情報に基づいて基地局装置からリソースを割り当てられる移動局装置とが接続された移動通信システムにおいて、前記基地局装置は、移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、データチャネルにて上りリンクデータを受信する上りリンクデータ受信手段と、を備え、前記移動局装置は、基地局装置から、上りリンクデータ送信許可信号を受信する上りリンクデータ送信許可信号受信手段と、前記上りリンクデータ送信許可信号を受信した場合に、上りリンクデータをデータチャネルにて送信する上りリンクデータ送信手段と、前記基地局装置からのスケジューリングにしたがって、前記受信品質情報を、制御チャネルにて送信する受信品質送信手段と、を備えており、前記移動局装置は、前記上りリンク送信許可信号を受信したときは、送信すべき受信品質情報総てを、対応する上りリンクデータチャネル１サブフレームで基地局装置に送信し、前記基地局装置は、データチャネルから、上りリンクデータと併せて受信品質情報を受信することを特徴とする。
【発明の効果】
【００２９】
本発明によれば、基地局装置が受信品質情報を送信するために割り当てた複数のＰＵＣＣＨサブフレームに対して、Ｌ１／Ｌ２グラントを送信した場合、基地局装置、移動局装置間で行われる受信品質情報の送受信に対する処理を軽減するとともに、移動局装置が受信品質情報を送信する際に発生する遅延を削減することによって、基地局装置が現在の伝搬路の状況に追従した適切な通信制御（スケジューリング）を行うことができることを目的とする。
【図面の簡単な説明】
【００３０】
【図１】本発明を適用した場合における通信システムの概略を示す図である。
【図２】本実施形態における基地局装置の構成を示す図である。
【図３】本実施形態における移動局装置の構成を示す図である。
【図４】第１実施形態における動作を説明するための図である。
【図５】第１実施形態における処理を説明するための図である。
【図６】第２実施形態における動作を説明するための図である。
【図７】第２実施形態における処理を説明するための図である。
【図８】従来の処理を説明するための図である。
【符号の説明】
【００３１】
１００  基地局装置
１１０  送信部
１１２  データ制御部
１１４  ＯＦＤＭ変調部
１１６  無線送信部
１２０  送信情報制御部
１２２  スケジューラ部
１２４  変調符号制御部
１２６  周波数選択スケジューラ部
１３０  受信部
１３２  データ抽出部
１３４  ＤＦＴ−ｓ−ＯＦＤＭ復調部
１３６  無線受信部
２００  移動局装置
２１０  送信部
２１２  データ制御部
２１４  ＤＦＴ−ｓ−ＯＦＤＭ変調部
２１６  無線送信部
２２０  受信品質情報制御部
２２２  受信品質情報生成部
２２４  受信品質測定部
２３０  受信部
２３２  データ抽出部
２３４  ＯＦＤＭ復調部
２３６  無線受信部
【発明を実施するための最良の形態】
【００３２】
以下、図面を参照して本発明を実施するための最良の形態について説明する。まず、図１は、本発明を適用した場合の基地局装置、移動局装置を含む通信システムの概略である。本実施形態においては、基地局装置１００は、移動局装置２００と通信を行うこととして説明する。【００３３】
図２は、基地局装置１００の機能構成を示すブロック図である。図２に示すように、基地局装置１００は、データ制御部１１２、ＯＦＤＭ変調部１１４及び無線送信部１１６を含む送信部１１０と、スケジューラ部１２２、変調符号制御部１２４及び周波数選択スケジューラ部１２６を含む送信情報制御部１２０と、データ抽出部１３２、ＤＦＴ−ｓ−ＯＦＤＭ復調部１３４及び無線受信部１３６を含む受信部１３０とを備えており、アンテナ１４０が送信部１１０及び受信部１３０に接続されている。【００３４】
ここで、送信部１１０には、送信データ及び制御データが上位レイヤから入力される。また、受信部１３０は、受信データ及び制御データが上位レイヤに出力される。【００３５】
データ制御部１１２は、各移動局装置２００に送信される送信データと、制御データとが入力され、送信情報制御部１２０からの指示に従って、それぞれのデータが逐次ＯＦＤＭ変調部１１４に出力される。【００３６】
ＯＦＤＭ変調部１１４は、データ制御部１１２から入力された信号にデータ変調、入力信号の直列／並列変換、ＦＦＴ（Fast Fourier Transform）変換、ＣＰ（Cyclic Prefix）挿入、フィルタリングなどのＯＦＤＭ信号処理を行い、処理された信号を無線送信部１１６に出力する。【００３７】
無線送信部１１６は、ＯＦＤＭ変調部１１４から入力された信号を送信に適した周波数にアップコンバートし、アンテナ１４０を介して、各移動局装置２００に送信する。【００３８】
無線受信部１３６は、アンテナ１４０から受信した無線信号をベースバンド信号に変換してＤＦＴ−ｓ−ＯＦＤＭ復調部１３４に出力する。【００３９】
ＤＦＴ−ｓ−ＯＦＤＭ復調部１３４は、無線受信部１３６から入力された信号に対して、ＩＤＦＴ変換、ＩＦＦＴ変換、フィルタリング等のＤＦＴ−ｓ−ＯＦＤＭ信号処理を行い、データ信号を復調する。復調されたデータ信号は、データ抽出部１３２に出力される。【００４０】
データ抽出部１３２は、ＤＦＴ−ｓ−ＯＦＤＭ復調部１３４から入力された信号から受信品質情報を抽出し、送信情報制御部１２０へ出力する。また、受信品質情報以外の受信データや制御データは、上位レイヤなどへ出力される。【００４１】
送信情報制御部１２０は、上位レイヤから入力される制御情報及び受信部１３０から入力される受信品質情報に基づいて、送信部１１０を制御する。【００４２】
スケジューラ部１２２は、各移動局装置２００が使用することのできるリソース領域、間欠送受信サイクル、送信データチャネルのフォーマット、バッファ状況などの制御情報に基づき、下りリンクのスケジューリング、上りリンクのスケジューリングを行なう。【００４３】
変調符号制御部１２４は、移動局装置２００から送信される受信品質情報に基づいて、各データに施す変調方式、符号化率を決定する。【００４４】
周波数選択スケジューラ部１２６は、移動局装置２００から送信される受信品質情報に基づいて、各データに施す周波数選択スケジューリングの処理を行なう。【００４５】
続いて、移動局装置２００について説明する。図３は、移動局装置２００の機能構成を説明するためのブロック図である。【００４６】
図３に示すように、移動局装置２００は、データ制御部２１２、ＤＦＴ−ｓ−ＯＦＤＭ変調部２１４及び無線送信部２１６を含む送信部２１０と、受信品質情報生成部２２２及び受信品質測定部２２４を含む受信品質情報制御部２２０と、データ抽出部２３２、ＯＦＤＭ復調部２３４及び無線受信部２３６とを含む受信部２３０とを備えており、アンテナ２４０が、送信部２１０及び受信部２３０に接続されている。【００４７】
ここで、送信部２１０には、送信データ及び制御データが上位レイヤから入力される。また、受信部２３０は、受信データ及び制御データが上位レイヤに出力される。【００４８】
データ制御部２１２は、基地局装置１００に送信される送信データと、制御データとが入力され、それぞれのデータがＤＦＴ−ｓ−ＯＦＤＭ変調部２１４に出力される。【００４９】
ＤＦＴ−ｓ−ＯＦＤＭ変調部２１４は、データ制御部２１２から入力された信号にデータ変調、ＤＦＴ変換、サブキャリアマッピング、ＦＦＴ変換、ＣＰ（Cyclic Prefix）挿入、フィルタリング等のＤＦＴ−ｓ−ＯＦＤＭ信号処理を行い、処理された信号を無線送信部２１６に出力される。【００５０】
上りリンクの通信方式は、ＤＦＴ−ｓｐｒｅｄ  ＯＦＤＭのようなシングルキャリア方式を想定している。無線送信部２１６は、ＤＦＴ−ｓ−ＯＦＤＭ変調部２１４から入力された信号を送信に適した周波数にアップコンバートし、アンテナ２４０を介して、基地局装置１００に送信する。【００５１】
無線受信部２３６は、アンテナ２４０から受信した無線信号をベースバンド信号にダウンコンバートして、ＯＦＤＭ復調部２３４に出力する。【００５２】
ＯＦＤＭ復調部２３４は、無線受信部２３６から入力された信号に対して、ＩＦＦＴ変換、フィルタリング等のＯＦＤＭ信号処理を行い、データ信号を復調する。【００５３】
データ抽出部２３２は、ＯＦＤＭ復調部２３４から入力されたデータ信号から受信品質情報を測定するための受信品質情報を抽出し、受信品質情報制御部２２０に出力する。なお、このとき受信品質情報以外の受信データや制御データは、上位レイヤなどに出力される。【００５４】
受信品質情報制御部２２０は、受信部２３０からデータ信号を受信し、受信品質情報を抽出して送信部２１０に出力する機能部である。【００５５】
ここで、受信品質測定部２２４は、データ抽出部２３２から入力された信号から受信品質を測定する。また、受信品質情報生成部２２２は、受信品質測定部２２４によって測定された情報に基づいて、基地局装置１００に送信する受信品質情報を生成する。【００５６】
〔第１実施形態〕
続いて、図１から図３の基地局装置１００及び移動局装置２００を用いて、本発明を適用した第１実施形態を説明する。【００５７】
図４は、基地局装置１００から移動局装置２００に送信される制御信号（Ｌ１／Ｌ２グラント）と、移動局装置２００から基地局装置１００にＰＵＣＣＨを使用して送信される受信品質情報と、上りリンクデータと、上りリンクを使用して送信される情報の送信形態とを示す図である。ここでは、例として、＃ｓｕｂｆｒａｍｅ１から、＃ｓｕｂｆｒａｍｅ１６までの動作を示している。【００５８】
ここで、基地局装置１００から移動局装置２００に送信されるＬ１／Ｌ２グラントとは、基地局装置１００が移動局装置２００に上りリンクを使用してデータ送信を許可する信号である。基地局装置１００は、移動局装置２００に対して通常の上りリンクデータ（例えば、ユーザーデータ）の送信を許可することができる。また、例えば、Ｌ１／Ｌ２グラントに１ビットの情報を含めたり、特別なＬ１／Ｌ２グラントのフォーマットを使用したりして、移動局装置２００に対してＰＵＳＣＨを使用して受信品質情報を送信することを許可することができる。【００５９】
また、基地局装置１００は長期的な資源割り当てによって、移動局装置２００に対して複数のＰＵＣＣＨサブフレームを使用して受信品質情報を送信するように指定する。この基地局装置１００による長期的な資源割り当ては、例えば、ＲＲＣシグナリングに含まれて送信される。【００６０】
ここで、移動局装置２００が、基地局装置１００からの長期的な資源割り当てに従って、大きな情報量を持った受信品質情報を送信する場合、通常複数のＰＵＣＣＨサブフレームを使用して受信品質情報を送信する。例えば、移動局装置２００から３０ビットの受信品質情報を送信することで、基地局装置１００、移動局装置２００間で効率の良い通信制御（スケジューリング）を実現する場合、＃ｓｕｂｆｒａｍｅ３において１０ビット、＃ｓｕｂｆｒａｍｅ４において１０ビット、＃ｓｕｂｆｒａｍｅ５において１０ビットの受信品質情報を送信する。基地局装置１００は送信された計３０ビットの受信品質情報から下りリンクで送信する情報に対して適応変調符号化や周波数選択スケジューリングの処理を施す。【００６１】
本実施形態においては、基地局装置１００が、受信品質情報を送信するために割り当てた複数のＰＵＣＣＨサブフレームに対して、上りリンクに対するデータ送信を許可するＬ１／Ｌ２グラントを送信した場合、移動局装置２００は、複数のＰＵＣＣＨサブフレームで送信しようとしていた受信品質情報総てを、対応するＰＵＳＣＨ１サブフレームを使用して送信することとなる。以下、図４を用いて具体的に説明する。【００６２】
＃ｓｕｂｆｒａｍｅ３では、基地局装置１００からＬ１／Ｌ２グラントを受信した移動局装置２００が、＃ｓｕｂｆｒａｍｅ３、＃ｓｕｂｆｒａｍｅ４、＃ｓｕｂｆｒａｍｅ５を使用して送信しようとしていた受信品質情報総てを＃ｓｕｂｆｒａｍｅ３で上りリンクデータと同時に送信していることを示している。例えば、移動局装置２００が長期的な資源割り当てにより＃ｓｕｂｆｒａｍｅ３で１０ビット、＃ｓｕｂｆｒａｍｅ４で１０ビット、＃ｓｕｂｆｒａｍｅ５で１０ビットの受信品質情報を送信しようとしていたとすると、Ｌ１／Ｌ２グラントを受信した＃ｓｕｂｆｒａｍｅ３のタイミングで３０ビットの受信品質情報を基地局装置１００に対して送信することになる。【００６３】
＃ｓｕｂｆｒａｍｅ４、＃ｓｕｂｆｒａｍｅ５の動作についてさらに説明する。基地局装置１００からのＬ１／Ｌ２グラントによって、＃ｓｕｂｆｒａｍｅ３で複数のＰＵＣＣＨサブフレームを使用して送信しようとしていた受信品質情報総てをＰＵＳＣＨ１サブフレームで送信した移動局装置２００は、＃ｓｕｂｆｒａｍｅ４、＃ｓｕｂｆｒａｍｅ５では受信品質情報を送信しない。＃ｓｕｂｆｒａｍｅ４では、基地局装置１００から上りリンクに対するデータ送信を許可するＬ１／Ｌ２グラントが送信されていないために、移動局装置２００は上りリンクに対するデータを何も送信していないことを示している。すなわち、複数のＰＵＣＣＨサブフレームを使用して送信しようとしていた受信品質情報総てを基地局装置１００に送信した移動局装置２００は、基地局装置１００からの長期的な資源割り当てによって、受信品質情報を送信するように指定された複数のＰＵＣＣＨサブフレームで受信品質情報を送信しない。【００６４】
＃ｓｕｂｆｒａｍｅ５では、基地局装置１００から上りリンクに対するデータ送信を許可するＬ１／Ｌ２グラントが送信されたために、この信号を受信した移動局装置２００は受信品質情報を送信せずに、通常の上りリンクデータ（例えば、ユーザーデータ）のみを基地局装置１００に送信していることを示している。すなわち、複数のＰＵＣＣＨサブフレームを使用して送信しようとしていた受信品質情報総てを基地局装置１００に送信した移動局装置２００は、対応したＰＵＳＣＨサブフレームで通常の上りリンクデータを送信する。移動局装置２００は、基地局装置１００からのＲＲＣシグナリングによって割り当てられたサブフレームのいずれかで、送信しようとしていた受信品質情報総てを基地局装置に送信した場合、その他のサブフレームでは受信品質情報を送信しない。【００６５】
＃ｓｕｂｆｒａｍｅ８、＃ｓｕｂｆｒａｍｅ９、＃ｓｕｂｆｒａｍｅ１０は、基地局装置１００からの長期的な資源割り当てによって、移動局装置２００が複数のＰＵＣＣＨサブフレームを使用して受信品質情報を送信するように指定されたサブフレームである。【００６６】
これらのサブフレームでは、移動局装置２００は、複数のＰＵＣＣＨサブフレーム（ここでは３サブフレーム）を使用して受信品質情報を送信する。移動局装置２００は、例えば、＃ｓｕｂｆｒａｍｅ８で１０ビット、＃ｓｕｂｆｒａｍｅ９で１０ビット、＃ｓｕｂｆｒａｍｅ１０で１０ビットの受信品質情報を基地局装置１００に送信することとなる。【００６７】
＃ｓｕｂｆｒａｍｅ１３、＃ｓｕｂｆｒａｍｅ１４、＃ｓｕｂｆｒａｍｅ１５は、＃ｓｕｂｆｒａｍｅ３、＃ｓｕｂｆｒａｍｅ４、＃ｓｕｂｆｒａｍｅ５と同様の動作を示している。【００６８】
基地局装置１００が、長期的な資源割り当てによって、複数のＰＵＣＣＨサブフレームを使用して受信品質情報を送信するように指定したサブフレーム（＃ｓｕｂｆｒａｍｅ１３、＃ｓｕｂｆｒａｍｅ１４、＃ｓｕｂｆｒａｍｅ１５）に対して、上りリンクに対するデータ送信を許可するＬ１／Ｌ２グラントを送信した場合、移動局装置２００は複数のＰＵＣＣＨサブフレーム（３サブフレーム、すなわち、＃ｓｕｂｆｒａｍｅ１３、＃ｓｕｂｆｒａｍｅ１４、＃ｓｕｂｆｒａｍｅ１５）を使用して送信しようとしていた受信品質情報総てを、対応するＰＵＳＣＨ１サブフレーム（ここでは、＃ｓｕｂｆｒａｍｅ１３）で基地局装置１００に対して送信する。【００６９】
この際、移動局装置２００は、基地局装置１００からＬ１／Ｌ２グラントによって割り当てられたＰＵＳＣＨのリソースを使用して受信品質情報を送信する。図３の＃ｓｕｂｆｒａｍｅ１３では、基地局装置１００からＬ１／Ｌ２グラントを受信した移動局装置２００が、このタイミングで＃ｓｕｂｆｒａｍｅ１３、＃ｓｕｂｆｒａｍｅ１４、＃ｓｕｂｆｒａｍｅ１５で送信しようとしていた受信品質情報総てを上りリンクデータと同時にＰＵＳＣＨを使用して送信していることを示している。【００７０】
同様に、＃ｓｕｂｆｒａｍｅ１４、＃ｓｕｂｆｒａｍｅ１５の動作について説明する。基地局装置１００からのＬ１／Ｌ２グラントによって、＃ｓｕｂｆｒａｍｅ１３で複数のＰＵＣＣＨサブフレームを使用して送信しようとしていた受信品質情報総てをＰＵＳＣＨ１サブフレームで送信した移動局装置２００は、＃ｓｕｂｆｒａｍｅ１４、＃ｓｕｂｆｒａｍｅ１５で受信品質情報を送信しない。【００７１】
＃ｓｕｂｆｒａｍｅ１４では、基地局装置１００から上りリンクに対するデータ送信を許可するＬ１／Ｌ２グラントが送信されたために、この信号を受信した移動局装置２００は受信品質情報を送信せずに、通常の上りリンクデータ（例えば、ユーザーデータ）を基地局装置１００に送信していることを示している。【００７２】
＃ｓｕｂｆｒａｍｅ１５では、基地局装置１００から上りリンクに対するデータ送信を許可するＬ１／Ｌ２グラントが送信されていないために、移動局装置２００は上りリンクに対するデータを何も送信していないことを示している。【００７３】
続いて、本実施形態における動作処理について、図５を用いて説明する。まず、＃ｓｕｂｆｒａｍｅ１で基地局装置１００は、移動局装置２００が受信品質情報を送信するために使用するＰＵＣＣＨの長期的な資源割り当てを行う（Ｓ１０）。基地局装置１００は移動局装置２００に対して、受信品質情報を送信する周期、受信品質情報を送信するオフセット、受信品質情報を何サブフレームのＰＵＣＣＨを使用して送信するかの指定を行う。【００７４】
本実施形態では、基地局装置１００は、移動局装置２００に対して周期５サブフレーム、オフセット２サブフレーム、３サブフレームのＰＵＣＣＨを使用して受信品質情報を送信するように指定している。この信号を受信した移動局装置２００は、基地局装置１００によって指定された複数のＰＵＣＣＨサブフレームを使用して受信品質情報を送信する。【００７５】
＃ｓｕｂｆｒａｍｅ３で基地局装置１００は、上りリンクに対するデータ送信を許可するＬ１／Ｌ２グラントを送信する（Ｓ１２）。この信号を受信した移動局装置２００は、基地局装置１００からの指定により＃ｓｕｂｆｒａｍｅ３、＃ｓｕｂｆｒａｍｅ４、＃ｓｕｂｆｒａｍｅ５でＰＵＣＣＨを使用して送信しようとしていた受信品質情報総てを、＃ｓｕｂｆｒａｍｅ３でＰＵＳＣＨ１サブフレームを使用して送信する（Ｓ１４）。【００７６】
例えば、＃ｓｕｂｆｒａｍｅ３で１０ビット、＃ｓｕｂｆｒａｍｅ４で１０ビット、＃ｓｕｂｆｒａｍｅ５で１０ビットの受信品質情報を、ＰＵＣＣＨを使用して送信しようとしていた移動局装置２００が、＃ｓｕｂｆｒａｍｅ３で３０ビットの受信品質情報を、ＰＵＳＣＨを使用して送信することになる。【００７７】
＃ｓｕｂｆｒａｍｅ４で、基地局装置１００から上りリンクに対するデータ送信を許可するＬ１／Ｌ２グラントが送信されなかった移動局装置２００は何も送信しない。すなわち、＃ｓｕｂｆｒａｍｅ３で複数のＰＵＣＣＨサブフレームを使用して送信しようとしていた受信品質情報総てを基地局装置１００に送信した移動局装置２００は、基地局装置１００からの長期的な資源割り当てによって受信品質情報を送信するように指定された複数のＰＵＣＣＨサブフレームで受信品質情報を送信しない。【００７８】
＃ｓｕｂｆｒａｍｅ５で基地局装置１００は、上りリンクに対するデータ送信を許可するＬ１／Ｌ２グラントを送信する（Ｓ１６）。この信号を受信した移動局装置２００は、受信品質情報を送信せずに通常の上りリンクデータ（例えば、ユーザーデータ）を基地局装置１００に送信する（Ｓ１８）。すなわち、＃ｓｕｂｆｒａｍｅ３で複数のＰＵＣＣＨサブフレームを使用して送信しようとしていた受信品質情報総てを基地局装置１００に送信した移動局装置２００が、上りリンクに対するデータ送信を許可するＬ１／Ｌ２グラントを受信した際、基地局装置１００からの長期的な資源割り当てによって受信品質情報を送信するように指定された複数のＰＵＣＣＨサブフレームに対応したＰＵＳＣＨサブフレームで通常の上りリンクデータを送信する。【００７９】
＃ｓｕｂｆｒａｍｅ７で、基地局装置１００は、上りリンクに対するデータ送信を許可するＬ１／Ｌ２グラントを送信する（Ｓ２０）。この信号を受信した移動局装置２００は、通常の上りリンクデータ（例えば、ユーザーデータ）を基地局装置１００に送信する（Ｓ２２）。【００８０】
＃ｓｕｂｆｒａｍｅ８、＃ｓｕｂｆｒａｍｅ９、＃ｓｕｂｆｒａｍｅ１０で、移動局装置２００は＃ｓｕｂｆｒａｍｅ１での基地局装置１００からの長期的な資源割り当てにより、複数のＰＵＣＣＨサブフレームを使用して受信品質情報を送信する。例えば、ＰＵＣＣＨ３サブフレームを使用して、＃ｓｕｂｆｒａｍｅ８で１０ビット（Ｓ２４）、＃ｓｕｂｆｒａｍｅ９で１０ビット（Ｓ２６）、＃ｓｕｂｆｒａｍｅ１０（Ｓ２８）で１０ビットの受信品質情報を送信し、基地局装置１００は移動局装置２００から送信された合計３０ビットの受信品質情報から下りリンクで送信する情報に適応変調符号化や周波数選択スケジューリングの処理を施す。【００８１】
＃ｓｕｂｆｒａｍｅ１３は、＃ｓｕｂｆｒａｍｅ３と同様の処理が行われる。すなわち、＃ｓｕｂｆｒａｍｅ１３で、基地局装置１００は、上りリンクに対するデータ送信を許可するＬ１／Ｌ２グラントを送信する（Ｓ３０）。この信号を受信した移動局装置２００は、基地局装置１００からの指定によりＰＵＣＣＨ３サブフレーム（＃ｓｕｂｆｒａｍｅ１３、＃ｓｕｂｆｒａｍｅ１４、＃ｓｕｂｆｒａｍｅ１５）を使用して送信しようとしていた受信品質情報総てを、ＰＵＳＣＨ１サブフレームを使用して送信する（Ｓ３２）。例えば、＃ｓｕｂｆｒａｍｅ１３で１０ビット、＃ｓｕｂｆｒａｍｅ１４で１０ビット、＃ｓｕｂｆｒａｍｅ１５で１０ビットの受信品質情報を、ＰＵＣＣＨを使用して送信しようとしていた移動局装置２００が、＃ｓｕｂｆｒａｍｅ１３で３０ビットの受信品質情報を、ＰＵＳＣＨを使用して送信することになる。【００８２】
＃ｓｕｂｆｒａｍｅ１４は、＃ｓｕｂｆｒａｍｅ５と同様の処理が行われる。＃ｓｕｂｆｒａｍｅ１４で、基地局装置１００は、上りリンクに対するデータ送信を許可するＬ１／Ｌ２グラントを送信する（Ｓ３４）。この信号を受信した移動局装置２００は、受信品質情報を送信せずに通常の上りリンクデータ（例えば、ユーザーデータ）を基地局装置１００に送信する（Ｓ３６）。【００８３】
＃ｓｕｂｆｒａｍｅ１５は、＃ｓｕｂｆｒａｍｅ４と同様の処理が行われる。＃ｓｕｂｆｒａｍｅ１５で、基地局装置１００から上りリンクに対するデータ送信を許可するＬ１／Ｌ２グラントが送信されなかった移動局装置２００は何も送信しない。すなわち、＃ｓｕｂｆｒａｍｅ１５で複数のサブフレームを使用して送信しようとしていた受信品質情報総てを基地局装置１００に送信した移動局装置２００は、基地局装置１００からの長期的な資源割り当てによって受信品質情報を送信するように指定されたＰＵＣＣＨサブフレームで受信品質情報を送信しないこととなる。【００８４】
図４において、＃ｓｕｂｆｒａｍｅ３の送信形態が格子模様と点模様で示されている（Ａ１）のは、移動局装置２００が複数のＰＵＣＣＨサブフレームを使用して送信しようとしていた受信品質情報総てを、ＰＵＳＣＨ１サブフレームを使用して上りリンクデータと送信していることを示している。【００８５】
また、＃ｓｕｂｆｒａｍｅ５の送信形態が点模様で示されている（Ｂ１）のは、移動局装置２００が通常の上りリンクデータ（例えば、ユーザーデータ）を、ＰＵＳＣＨを使用して基地局装置１００に送信していることを示している。【００８６】
また、＃ｓｕｂｆｒａｍｅ８の送信形態が斜線で示されている（Ｃ１）のは、移送局装置が、＃ｓｕｂｆｒａｍｅ１で設定されたＰＵＣＣＨの長期的な割り当てにより、ＰＵＣＣＨを使用して受信品質情報を送信していることを示している。【００８７】
また、＃ｓｕｂｆｒａｍｅ１３の送信形態が格子模様と点模様で示されている（Ｄ１）のは、＃ｓｕｂｆｒａｍｅ３と同様に、移動局装置２００が複数のＰＵＣＣＨサブフレームを使用して送信しようとしていた受信品質情報総てを、ＰＵＳＣＨ１サブフレームを使用して上りリンクデータと送信していることを示している。【００８８】
このように、基地局装置１００が受信品質情報を送信するために割り当てた複数のＰＵＣＣＨサブフレームに対して、上りリンクに対するデータ送信を許可するＬ１／Ｌ２グラントを送信した場合、この信号を受信した移動局装置２００が、複数のＰＵＣＣＨサブフレームで送信しようとしていた受信品質情報を、対応するＰＵＳＣＨ１サブフレームを使用して送信することにより、基地局装置１００、移動局装置２００間で受信品質情報を送受信する際の処理を軽減することができる。【００８９】
基地局装置１００は、移動局装置２００から異なるチャネル（ＰＵＳＣＨ、ＰＵＣＣＨ）を使用して送信される受信品質情報をそれぞれデコードする必要はなく、ＰＵＳＣＨ１サブフレームを使用して送信された受信品質情報に基づいて、下りリンクで送信する情報に適応変調制御や周波数選択スケジューリングの処理を施すことが可能となる。【００９０】
また複数のＰＵＣＣＨサブフレームを使用して送信しようとしていた受信品質情報を、ＰＵＳＣＨ１サブフレームを使用して送信することができ、移動局装置２００から基地局装置１００に受信品質情報が送信されるまでの遅延を削減することが出来る。移動局装置２００がＰＵＳＣＨ１サブフレームで受信品質情報を送信することにより、現在の伝搬路の状況により追従した受信品質情報を送信することができ、基地局装置１００は、伝搬路の状況に適した適応変調符号化や周波数選択スケジューリングを下りリンクで送信する情報に施すことができる。【００９１】
〔第２実施形態〕
つづいて、第２実施形態について、図６及び図７を用いて説明する。第２実施形態では、基地局装置１００が受信品質情報を送信するために使用するＰＵＣＣＨの長期的な資源割り当てと、受信品質情報をＰＵＳＣＨ１サブフレームで送信できるＰＵＣＣＨサブフレーム数を設定するＰＵＳＣＨ送信可能サブフレーム数Ｍを送信し、さらに、上りリンクに対するデータ送信を許可するＬ１／Ｌ２グラントを送信した場合、移動局装置２００は、ＰＵＳＣＨ送信可能サブフレーム数で設定された数以下のＰＵＣＣＨサブフレームで送信しようとしていた受信品質情報を対応するＰＵＳＣＨ１サブフレームで基地局装置１００に送信する実施形態である。【００９２】
図６を用いて本実施形態の特徴となるサブフレームを中心に動作を説明する。＃ｓｕｂｆｒａｍｅ１で基地局装置１００は、受信品質情報を送信するために使用するＰＵＣＣＨの長期的な資源割り当てと、ＰＵＣＣＨサブフレームを使用して送信するように指定された受信品質情報をＰＵＳＣＨ１サブフレームで送信できるサブフレーム数を設定するＰＵＳＣＨ送信可能サブフレーム数Ｍを送信する。基地局装置１００からＰＵＣＣＨサブフレームを使用して受信品質情報を送信するための長期的な資源割り当てや、ＰＵＳＣＨ送信可能サブフレーム数の設定は、例えば、ＲＲＣシグナリングに含まれる。【００９３】
＃ｓｕｂｆｒａｍｅ１で、基地局装置１００が移動局装置２００に対してＰＵＣＣＨサブフレーム（周期５サブフレーム、オフセット２サブフレーム、ＰＵＣＣＨ１サブフレーム）を使用して受信品質情報を送信、また、ＰＵＳＣＨ送信可能サブフレーム数をＭ＝２と設定する。【００９４】
＃ｓｕｂｆｒａｍｅ５で、基地局装置１００から上りリンクに対するデータ送信を許可するＬ１／Ｌ２グラントを受信した移動局装置２００は、ＰＵＳＣＨ送信可能サブフレーム数で設定されたサブフレーム数（Ｍ＝２）以下のＰＵＣＣＨサブフレームで送信しようとしていた受信品質情報を送信する。すなわち、Ｍ＝２以下のサブフレームである＃ｓｕｂｆｒａｍｅ６で送信しようとしていた受信品質情報を、ＰＵＳＣＨ１サブフレームを使用して基地局装置１００に送信する。【００９５】
すなわち、＃ｓｕｂｆｒａｍｅ６において、基地局１００からの指定によりＰＵＣＣＨ３サブフレーム（＃ｓｕｂｆｒａｍｅ６、＃ｓｕｂｆｒａｍｅ７、＃ｓｕｂｆｒａｍｅ８）を使用していた受信品質情報総てを、ＰＵＳＣＨ１サブフレームを使用して送信する。【００９６】
＃ｓｕｂｆｒａｍｅ１２で、基地局装置１００から上りリンクに対するデータ送信を許可するＬ１／Ｌ２グラントを受信した移動局装置２００は、ＰＵＳＣＨ送信可能サブフレーム数で設定されたサブフレーム数（Ｍ＝２）以下のＰＵＣＣＨサブフレームで送信しようとしていた受信品質情報を送信する。すなわち、Ｍ＝２以下のサブフレームである＃ｓｕｂｆｒａｍｅ１３で送信しようとしていた受信品質情報を、ＰＵＳＣＨ１サブフレームを使用して基地局装置１００に送信する。【００９７】
＃ｓｕｂｆｒａｍｅ１３では、基地局装置１００から上りリンクに対するデータ送信を許可するＬ１／Ｌ２グラントが送信されたために、この信号を受信した移動局装置２００は受信品質情報を送信せずに、通常の上りリンクデータ（例えば、ユーザーデータ）のみを基地局装置１００に送信していることを示している。すなわち、＃ｓｕｂｆｒａｍｅ１３において、ＰＵＣＣＨサブフレームを使用して送信しようとしていた受信品質情報は、＃ｓｕｂｆｒａｍｅ１２において既に基地局装置１００に送信されているため、対応したＰＵＳＣＨサブフレームで通常の上りリンクデータのみを送信する。【００９８】
続いて、本実施形態における動作処理について、図７を用いて説明する。まず、＃ｓｕｂｆｒａｍｅ１で基地局装置１００は、移動局装置２００が受信品質情報を送信するために使用するＰＵＣＣＨの長期的な資源割り当てと、ＰＵＳＣＨ送信可能サブフレーム数Ｍを設定する（Ｓ５０）。ここでは、例として、移動局装置２００に対して周期３サブフレーム、オフセット２サブフレーム、１サブフレームのＰＵＣＣＨを使用して受信品質情報を送信するように指定していることを示し、また、ＰＵＳＣＨ送信可能サブフレーム数はＭ＝２に設定したとする。【００９９】
＃ｓｕｂｆｒａｍｅ３で基地局装置１００は、上りリンクに対するデータ送信を許可するＬ１／Ｌ２グラントを送信する（Ｓ５２）。この信号を受信した移動局装置２００は、ＰＵＣＣＨで送信しようとしていた受信品質情報と上りリンクデータ（例えば、ユーザーデータ）を、ＰＵＳＣＨを使用して基地局装置１００に送信する（Ｓ５４）。【０１００】
＃ｓｕｂｆｒａｍｅ５で基地局装置１００は、上りリンクに対するデータ送信を許可するＬ１／Ｌ２グラントを送信する（Ｓ５６）。この信号を受信した移動局装置２００は、ＰＵＳＣＨ送信可能サブフレーム数で設定されたＭ＝２より、＃ｓｕｂｆｒａｍｅ６でＰＵＣＣＨを使用して送信しようとしていた受信品質情報と、上りリンクデータとをＰＵＳＣＨサブフレームを使用して送信する（Ｓ５８）。【０１０１】
ここで、移動局装置２００は、基地局装置１００からの指定により＃ｓｕｂｆｒａｍｅ６、＃ｓｕｂｆｒａｍｅ７、＃ｓｕｂｆｒａｍｅ８でＰＵＣＣＨを使用して送信しようとしていた受信品質情報総てを、＃ｓｕｂｆｒａｍｅ５でＰＵＳＣＨ１サブフレームを使用して送信する。【０１０２】
＃ｓｕｂｆｒａｍｅ６は、＃ｓｕｂｆｒａｍｅ１で基地局装置１００からＰＵＣＣＨを使用して受信品質情報を送信するように長期的な資源割り当てが行われたサブフレームである。基地局装置１００からのＰＵＳＣＨ送信可能サブフレーム数の設定により、＃ｓｕｂｆｒａｍｅ５で受信品質情報を送信した移動局装置２００は、＃ｓｕｂｆｒａｍｅ６で何も送信しない。すなわち、＃ｓｕｂｆｒａｍｅ１で、基地局装置１００からの長期的な資源割り当てにより受信品質情報を送信するように指定されたＰＵＣＣＨサブフレームで受信品質情報を送信しない。【０１０３】
＃ｓｕｂｆｒａｍｅ７で、基地局装置１００は、上りリンクに対するデータ送信を許可するＬ１／Ｌ２グラントを送信する（Ｓ６０）。この信号を受信した移動局装置２００は、通常の上りリンクデータを基地局装置１００に送信する（Ｓ６２）。なお、基地局装置１００からのＰＵＳＣＨ送信可能サブフレーム数の設定により、＃ｓｕｂｆｒａｍｅ５で受信品質情報を送信した移動局装置２００は、＃ｓｕｂｆｒａｍｅ７で受信品質情報は送信しない。【０１０４】
＃ｓｕｂｆｒａｍｅ８は、＃ｓｕｂｆｒａｍｅ１で基地局装置１００からＰＵＣＣＨを使用して受信品質情報を送信するように長期的な資源割り当てが行われたサブフレームである。基地局装置１００からのＰＵＳＣＨ送信可能サブフレーム数の設定により、＃ｓｕｂｆｒａｍｅ５で受信品質情報を送信した移動局装置２００は、＃ｓｕｂｆｒａｍｅ８で何も送信しない。【０１０５】
＃ｓｕｂｆｒａｍｅ１０は、＃ｓｕｂｆｒａｍｅ１で基地局装置１００からＰＵＣＣＨを使用して受信品質情報を送信するように長期的な資源割り当てが行われたサブフレームである。移動局装置２００は、基地局装置１００から割り当てられたＰＵＣＣＨのリソースを使用して受信品質情報を送信する（Ｓ６４）。＃ｓｕｂｆｒａｍｅ１５でも同様の処理が行われる（Ｓ７４）。【０１０６】
＃ｓｕｂｆｒａｍｅ１２で基地局装置１００は、上りリンクに対するデータ送信を許可するＬ１／Ｌ２グラントを送信する（Ｓ６６）。この信号を受信した移動局装置２００は、ＰＵＳＣＨ送信可能サブフレーム数で設定されたＭ＝２より、＃ｓｕｂｆｒａｍｅ１３でＰＵＣＣＨを使用して送信しようとしていた受信品質情報と、上りリンクデータとをＰＵＳＣＨサブフレームを使用して送信する（Ｓ６８）。【０１０７】
＃ｓｕｂｆｒａｍｅ１３で基地局装置１００は、上りリンクに対するデータ送信を許可するＬ１／Ｌ２グラントを送信する（Ｓ７０）。基地局装置１００からのＰＵＳＣＨ送信可能サブフレーム数の設定により、＃ｓｕｂｆｒａｍｅ１２で受信品質情報を送信した移動局装置２００は、＃ｓｕｂｆｒａｍｅ１３では上りリンクデータのみを送信する（Ｓ７２）。【０１０８】
図６において、＃ｓｕｂｆｒａｍｅ３の送信形態が格子模様と点模様で示されている（Ａ２）のは、移動局装置２００がＰＵＣＣＨで送信しようとしていた受信品質情報と上りリンクデータ（例えば、ユーザーデータ）を、ＰＵＳＣＨを使用して基地局装置１００に送信していることを示し、＃ｓｕｂｆｒａｍｅ５の送信形態が格子模様と点模様で示されている（Ｂ２）のは、移動局装置２００がＰＵＳＣＨ送信可能サブフレーム数で設定されたサブフレーム数以下のＰＵＣＣＨサブフレームで送信しようとしていた受信品質情報を、ＰＵＳＣＨサブフレームを使用して上りリンクデータと送信していることを示している。【０１０９】
また、＃ｓｕｂｆｒａｍｅ１２の送信形態が格子模様と点模様で示されている（Ｃ２）のは、移動局装置２００がＰＵＳＣＨ送信可能サブフレーム数で設定されたサブフレーム数以下のＰＵＣＣＨサブフレームで送信しようとしていた受信品質情報を、ＰＵＳＣＨサブフレームを使用して上りリンクデータと送信していることを示している。【０１１０】
このように、第２実施形態によれば、基地局装置１００が受信品質情報を送信するために使用するＰＵＣＣＨの長期的な資源割り当てと、受信品質情報をＰＵＳＣＨサブフレームで送信できるＰＵＣＣＨサブフレーム数を設定するＰＵＳＣＨ送信可能サブフレーム数を送信し、さらに、上りリンクに対するデータ送信を許可するＬ１／Ｌ２グラントを送信した場合、移動局装置２００は、ＰＵＳＣＨ送信可能サブフレーム数で設定されたサブフレーム数以下のＰＵＣＣＨサブフレームで送信しようとしていた受信品質情報を対応するＰＵＳＣＨサブフレームで基地局装置１００に送信することによって、基地局装置１００によって割り当てられるリソース領域が小さいために、多くの移動局装置２００に同時に情報を送信することができないＰＵＣＣＨのリソースを有効に使用することができる。【０１１１】
また、基地局装置１００は、移動局装置２００がＰＵＣＣＨを使用して送信しようとしていた受信品質情報を、ＰＵＳＣＨを使用して送信させるように制御することができるために、他の移動局装置２００に対して空いたＰＵＣＣＨのリソースを割り当てることができる。例えば、基地局装置１００が制御するセル内に多くの移動局装置２００が存在している場合に、ある移動局装置がＰＵＣＣＨ（１）を使用して送信しようとしていた受信品質情報を、ＰＵＳＣＨを使用して送信するように制御することで、空いたＰＵＣＣＨ（１）のリソースを他の移動局装置に割り当てることが出来る。これにより、多くの移動局装置がＰＵＣＣＨを使用して送信する情報（制御情報）の情報量が大きくなったときに、セル全体でのＰＵＣＣＨのリソース不足を解消することが可能となり、より多くの移動局装置に対する柔軟な通信制御（スケジューリング）が可能となる。【０１１２】
以上、この発明の実施形態について図面を参照して詳述してきたが、具体的な構成はこの実施形態に限られるものではなく、この発明の要旨を逸脱しない範囲の設計等も特許請求の範囲に含まれる。
【図１】
2009096453.tif 000003
【図２】
2009096453.tif 000004
【図３】
2009096453.tif 000005
【図４】
2009096453.tif 000006
【図５】
2009096453.tif 000007
【図６】
2009096453.tif 000008
【図７】
2009096453.tif 000009
【図８】
2009096453.tif 000010
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
長期的に割り当てられた複数のサブフレームを使用して、上りリンク制御チャネル（ＰＵＣＣＨ）で狭帯域の周波数帯域における受信品質情報を複数送信することにより、前記狭帯域の周波数帯域から構成される広帯域の周波数帯域における受信品質情報を基地局装置へ送信する移動局装置であって、
前記上りリンク制御チャネル（ＰＵＣＣＨ）で前記狭帯域の周波数帯域における受信品質情報を送信するように前記複数のサブフレームを前記基地局装置によって指定され、
前記上りリンク制御チャネル（ＰＵＣＣＨ）で前記狭帯域の周波数帯域における受信品質情報を送信するように指定された前記複数のサブフレームのいずれかに配置される上りリンクデータチャネル（ＰＵＳＣＨ）を割り当てる上りリンクデータ送信許可信号を前記基地局装置から受信した場合は、
前記広帯域の周波数帯域における受信品質情報を前記上りリンクデータチャネル（ＰＵＳＣＨ）１サブフレームを使用して前記基地局装置へ送信することを特徴とする移動局装置。
【請求項２】
前記広帯域の周波数帯域における受信品質情報を上りリンクデータと共に前記基地局装置へ送信することを特徴とする請求項１に記載の移動局装置。
【請求項３】
長期的に割り当てられた複数のサブフレームを使用して、上りリンク制御チャネル（ＰＵＣＣＨ）で狭帯域の周波数帯域における受信品質情報を複数送信することにより、前記狭帯域の周波数帯域から構成される広帯域の周波数帯域における受信品質情報を基地局装置へ送信する移動局装置の通信方法であって、
前記上りリンク制御チャネル（ＰＵＣＣＨ）で前記狭帯域の周波数帯域における受信品質情報を送信するように前記複数のサブフレームを前記基地局装置によって指定され、
前記上りリンク制御チャネル（ＰＵＣＣＨ）で前記狭帯域の周波数帯域における受信品質情報を送信するように指定された前記複数のサブフレームのいずれかに配置される上りリンクデータチャネル（ＰＵＳＣＨ）を割り当てる上りリンクデータ送信許可信号を前記基地局装置から受信した場合は、
前記広帯域の周波数帯域における受信品質情報を前記上りリンクデータチャネル（ＰＵＳＣＨ）１サブフレームを使用して前記基地局装置へ送信することを特徴とする通信方法。
【請求項４】
前記広帯域の周波数帯域における受信品質情報を上りリンクデータと共に前記基地局装置へ送信することを特徴とする請求項３に記載の通信方法。
【手続補正３】
【補正対象書類名】明細書
【補正対象項目名】０００１
【補正方法】変更
【補正の内容】
【０００１】
技術分野
［０００１］
本発明は、受信品質情報に基づいて基地局装置からリソースを割り当てられる移動局装置等に関する。
背景技術
［０００２］
近時、移動通信システムの分野においては、データ通信の需要が高まっている。そして、データ通信の需要に伴う通信データの増加に対応した、高い周波数利用効率が得られる様々な技術が提案されている。周波数利用効率を高める技術の１つに、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）がある。このＯＦＤＭＡは、セルで構成される通信エリアにおいて、総てのセルで同じ周波数を用いて通信する際の変調方式の技術に関するものであり、高速なデータ通信を実現することができる。
［０００３］
ＯＦＤＭＡシステムにおける送信パケットのスケジューリングでは、広帯域のサブキャリアにおける下り回線状態の受信品質を示す情報であるＣＱＩ（Ｃｈａｎｎｅｌ  Ｑｕａｌｉｔｙ  Ｉｎｄｉｃａｔｏｒ）を移動局装置が基地局装置に送信し、基地局装置は、各移動局装置から送信された広帯域のサブキャリアのＣＱＩに基づいて、パケットのスケジューリングを行なうという方法が知られている。
［０００４］
また、複数のサブキャリアを用いるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は、送信された情報に基づいて各移動局装置に割り振るサブキャリアを決定するという技術も知られている。
［０００５］
図８は、従来の基地局装置と移動局装置との通信方法について説明するための図である。基地局装置から受信品質測定に用いる下り回線の下りリンク情報を受信した移動局装置は、その下りリンク情報に基づいて各チャネルの受信品質を測定し、伝
【手続補正４】
【補正対象書類名】明細書
【補正対象項目名】０００５
【補正方法】変更
【補正の内容】
【０００５】
リングを施した下りリンクの情報を移動局装置に送信することができる。
［００２２］
すなわち移動局装置から基地局装置への受信品質情報の送信において、移動局装置が受信品質情報を送信するために割り当てられた複数のＰＵＣＣＨサブフレームに対して、基地局装置がＬ１／Ｌ２グラントを送信した場合、基地局装置、移動局装置間で行われる受信品質情報を送受信する際の処理が複雑になるという問題があった。また、移動局装置から基地局装置に受信品質情報を送信する際に遅延が生じてしまい、基地局装置が現在の伝搬路の状況に追従した適切な通信制御を行えなくなるという問題があった。
［０００３］
本発明は、このような事情に鑑みてなされたものであり、移動局装置が受信品質情報を送信するために割り当てられた複数のＰＵＣＣＨサブフレームに対して、基地局装置がＬ１／Ｌ２グラントを送信した場合、基地局装置、移動局装置間で行われる受信品質情報の送受信の処理を軽減するとともに、移動局装置が受信品質情報を送信する際の遅延を削減することによって、現在の伝搬路の状況に追従した適切な通信制御を行うことができる移動局装置、基地局装置及び移動通信システムを提供することを目的とする。
課題を解決するための手段
［００２４］
上記課題を解決するために、本発明の移動局装置は、長期的に割り当てられた複数のサブフレームを使用して、上りリンク制御チャネル（ＰＵＣＣＨ）で狭帯域の周波数帯域における受信品質情報を複数送信することにより、前記狭帯域の周波数帯域から構成される広帯域の周波数帯域における受信品質情報を基地局装置へ送信する移動局装置であって、前記上りリンク制御チャネル（ＰＵＣＣＨ）で前記狭帯域の周波数帯域における受信品質情報を送信するように前記複数のサブフレームを前記基地局装置によって指定され、前記上りリンク制御チャネル（ＰＵＣＣＨ）で前記狭帯域の周波数帯域における受信品質情報を送信するように指定された前記複数のサブフレームのいずれかに配置される上りリンクデータチャネル（ＰＵＳＣＨ）を割り当てる上りリンクデータ送信許可信号を前記基地局装置から受信した場合は、前記広帯域の周波数帯域における受信品質情報を前記上りリンクデータチャネル（ＰＵＳＣＨ）１サブフレームを使用して前記基地局装置へ送信することを特徴とする。
［００２５］
また、本発明の移動局装置は、前記広帯域の周波数帯域における受信品質情報を上りリンクデータと共に前記基地局装置へ送信することを特徴とする。
【手続補正５】
【補正対象書類名】明細書
【補正対象項目名】０００６
【補正方法】変更
【補正の内容】
【０００６】
［００２６］
本発明の通信方法は、長期的に割り当てられた複数のサブフレームを使用して、上りリンク制御チャネル（ＰＵＣＣＨ）で狭帯域の周波数帯域における受信品質情報を複数送信することにより、前記狭帯域の周波数帯域から構成される広帯域の周波数帯域における受信品質情報を基地局装置へ送信する移動局装置の通信方法であって、前記上りリンク制御チャネル（ＰＵＣＣＨ）で前記狭帯域の周波数帯域における受信品質情報を送信するように前記複数のサブフレームを前記基地局装置によって指定され、前記上りリンク制御チャネル（ＰＵＣＣＨ）で前記狭帯域の周波数帯域における受信品質情報を送信するように指定された前記複数のサブフレームのいずれかに配置される上りリンクデータチャネル（ＰＵＳＣＨ）を割り当てる上りリンクデータ送信許可信号を前記基地局装置から受信した場合は、前記広帯域の周波数帯域における受信品質情報を前記上りリンクデータチャネル（ＰＵＳＣＨ）１サブフレームを使用して前記基地局装置へ送信することを特徴とする。
［００２７］
また、本発明の通信方法は、前記広帯域の周波数帯域における受信品質情報を上りリンクデータと共に前記基地局装置へ送信することを特徴とする。
［００２８］
発明の効果
【手続補正６】
【補正対象書類名】明細書
【補正対象項目名】００２２
【補正方法】変更
【補正の内容】
【００２２】
品質情報を、ＰＵＳＣＨを使用して送信するように制御することで、空いたＰＵＣＣＨ（１）のリソースを他の移動局装置に割り当てることが出来る。これにより、多くの移動局装置がＰＵＣＣＨを使用して送信する情報（制御情報）の情報量が大きくなったときに、セル全体でのＰＵＣＣＨのリソース不足を解消することが可能となり、より多くの移動局装置に対する柔軟な通信制御（スケジューリング）が可能となる。
［０１１２］
また、上述した実施形態によれば、移動局装置は、受信品質情報に基づいて基地局装置からリソースを割り当てられる移動局装置であって、上りリンクデータ送信許可信号を受信する上りリンクデータ送信許可信号受信手段と、前記上りリンクデータ送信許可信号を受信した場合に、上りリンクデータをデータチャネルにて送信する上りリンクデータ送信手段と、前記基地局装置からのスケジューリングにしたがって、前記受信品質情報を、制御チャネルにで送信する受信品質送信手段と、を備え、前記受信品質送信手段は、前記上りリンク送信許可信号を受信したときは、送信すべき受信品質情報総てを、対応する上りリンクデータチャネル１サブフレームで基地局装置に送信することを特徴する。
また、上述した実施形態によれば、更に移動局装置は、前記基地局装置から送信可能サブフレーム数を含んだＲＲＣシグナリングを受信するサブフレーム数受信手段を更に備え、前記受信品質送信手段は、前記上りリンクデータ送信許可信号を受信してから、前記送信可能サブフレーム数以内に、受信品質情報を送信する割当がなされている場合には、送信すべき受信品質情報総てを、対応する上りリンクデータチャネル１サブフレームで基地局装置に送信することを特徴とする。
また、上述した実施形態によれば、基地局装置は、受信品質情報に基づいて移動局装置にリソースを割り当てる基地局装置であって、移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、データチャネルにて上りリンクデータを受信する上りリンクデータ受信手段と、を備え、前記上りリンクデータ受信手段は、データチャネルから、上りリンクデータと併せて受信品質情報を受信する手段であることを特徴とする。
また、上述した実施形態によれば、更に本発明の基地局装置は、移動局装置に、送信可能サブフレーム数をＲＲＣシグナリングに含めて送信することを特徴とする。
また、上述した実施形態によれば、移動通信システムは、基地局装置と、受信品質情報に基づいて基地局装置からリソースを割り当てられる移動局装置とが接続された移動通信システムにおいて、前記基地局装置は、移動局装置が複数の制御チャネルサブフレームで送信しようとしていた受信品質情報を上りリンクデータチャネル１サブフレームで送信するように指示する上りリンクデータ送信許可信号を送信する上りリンクデータ送信許可信号送信手段と、データチャネルにて上りリンクデータを受信する上りリンクデータ受信手段と、を備え、前記移動局装置は、基地局装置から、上りリンクデータ送信許可信号を受信する上りリンクデータ送信許可信号受信手段と、前記上りリンクデータ送信許可信号を受信した場合に、上りリンクデータをデータチャネルにて送信する上りリンクデータ送信手段と、前記基地局装置からのスケジューリングにしたがって、前記受信品質情報を、制御チャネルにて送信する受信品質送信手段と、を備えており、前記移動局装置は、前記上りリンク送信許可信号を受信したときは、送信すべき受信品質情報総てを、対応する上りリンクデータチャネル１サブフレームで基地局装置に送信し、前記基地局装置は、データチャネルから、上りリンクデータと併せて受信品質情報を受信することを特徴とする。
以上、この発明の実施形態について図面を参照して詳述してきたが、具体的な構成はこの実施形態に限られるものではなく、この発明の要旨を逸脱しない範囲の設計等も特許請求の範囲に含まれる。
【国際調査報告】
2009096453.tif 000011
2009096453.tif 000012